(57)【要約】【課題】光ディスク再生装置において、ユーザがモニタ装置の解像度を、対応する解像度の中から自己の好みに応じて容易に設定できるようにする。【解決手段】制御部は、解像度変数ｎを初期化（ｎ＝０）する（＃１）。そして、リモコン装置のＨＤＭＩキーが押下されると（＃２においてＹＥＳ）、ｎを１インクリメント（ｎ＝ｎ＋１）する（＃３）。そして、ｎ＝４であれば（＃４においてＹＥＳ）、ｎを初期化（ｎ＝０）して（＃５）、＃６に移行する。また、ｎ＝４でなければ（＃４においてＮＯ）、＃６に移行する。モニタ装置がｎ番目の解像度に対応していれば（＃６においてＹＥＳ）、映像信号をその解像度に変換してＨＤＭＩ出力端子１４から出力して（＃７）、＃２に戻る。また、モニタ装置がｎ番目の解像度に対応していなければ（＃６においてＮＯ）、＃３に戻る。これにより、ユーザは、モニタ装置の解像度を、対応する解像度の中から容易に設定できる。【選択図】図３
2007150469.tif 000002
【特許請求の範囲】
【請求項１】
光ディスクにレーザビームを照射して信号の読み出しを行う光ピックアップと、この光ピックアップが読み出した信号を処理する信号処理手段と、この信号処理手段が処理した信号を復号する信号復号手段と、ＨＤＭＩ（High-Definition Multimedia Interface）ケーブルが接続されて、前記信号復号手段が復号した信号を装置外部に出力するＨＤＭＩ出力端子と、前記光ピックアップ、信号処理手段、信号復号手段を制御する制御手段と、前記制御手段に各種の指令信号を入力するためにユーザによって操作される指令入力手段を備えた光ディスク再生装置において、
映像出力装置と前記ＨＤＭＩケーブルを介して接続可能であり、
前記制御手段は、
前記モニタ装置が対応している解像度に関する情報を前記ＨＤＭＩケーブルを介して取得し、
ユーザによって前記指令入力手段が操作されて、解像度を変更する旨の指令が入力されたとき、前記映像出力装置が対応している解像度のうち、最も低い解像度に映像信号を変換して該映像出力装置に出力し、
さらに、ユーザによって前記指令入力手段が操作されて、解像度を変更する旨の指令が入力されたとき、前記映像出力装置が対応している解像度のうち、１段階高い解像度に映像信号を変換して該映像出力装置に出力し、
前記映像出力装置が、対応している解像度のうち最も高い解像度で映像を表示している場合において、ユーザによって前記指令入力手段が操作されて、解像度を変更する旨の指令が入力されたとき、映像信号の出力を停止し、
前記映像出力装置が対応している解像度の中から、映像の解像度を選択し得るように構成されていることを特徴とする光ディスク再生装置。
【請求項２】
ＨＤＭＩ（High-Definition Multimedia Interface）ケーブルが接続されて、前記信号復号手段が復号した信号を装置外部に出力するＨＤＭＩ出力端子と、各種の指令を入力するためにユーザによって操作される指令入力手段を備えた映像信号出力装置において、
映像出力装置と前記ＨＤＭＩケーブルを介して接続可能であり、
前記映像出力装置が対応している解像度に関する情報を前記ＨＤＭＩケーブルを介して取得し、
ユーザによって前記指令入力手段が操作されて、解像度を変更する旨の指令が入力されたとき、前記映像出力装置が対応している解像度の中から、映像の解像度を適宜選択し得るように構成されていることを特徴とする映像信号出力装置。
【請求項３】
請求項１に記載の光ディスク再生装置又は請求項２に記載の映像信号出力装置を備えて成ることを特徴とするＡＶシステム。
【発明の詳細な説明】
【技術分野】
【０００１】
本発明は、ＨＤＭＩ（High-Definition Multimedia Interface）ケーブルを介してモニタ装置に映像信号を出力する光ディスク再生装置、音声信号出力装置及びＡＶシステムに関するものである。
【背景技術】
【０００２】
従来から、ＤＶＤプレーヤ等の光ディスク再生装置においては、映像を表示するモニタ装置の解像度に合わせて、映像出力信号の解像度を変更するように構成されている。例えば、特許文献１には、モニタ装置が表示可能な最高解像度を自動的に判断し、その解像度で映像信号を出力するＤＶＤプレーヤが示されている。また、特許文献２には、通信回線を介して得られるモニタ装置の解像度に合わせて画像情報の解像度を変換するＤＶＤプレーヤが示されている。また、特許文献３には、ＡＶアンプとＤＶＤプレーヤとの接続構成に関わらず、ＡＶアンプの設定状況をモニタ装置に表示できるＡＶシステムが示されている。さらに、特許文献４には、モニタ装置の解像度等の情報を記憶するメモリを有する映像表示装置が示されている。
【特許文献１】特開２００５−１９１７８０号公報
【特許文献２】特開２００５−１８９５８７号公報
【特許文献３】特開２００５−１０９７０３号公報
【特許文献４】特開２００４−３５７０２９号公報
【発明の開示】
【発明が解決しようとする課題】
【０００３】
しかしながら、上記いずれの特許文献に示されたＤＶＤプレーヤ等においても、ユーザがモニタ装置の解像度を自己の好みに適合させるのが困難で、使い勝手が悪い。特に、視力が低下している老人にとっては、必ずしも高解像度の映像が最適とはいえず、市場においては、簡単に解像度の切り替えが可能な光ディスク再生装置が望まれている。
【０００４】
本発明は、ユーザがモニタ装置の解像度を、対応する解像度の中から自己の好みに応じて容易に設定することができる光ディスク再生装置及び音声信号出力装置を提供することを目的とする。
【課題を解決するための手段】
【０００５】
上記目的を達成するために請求項１の発明は、光ディスクにレーザビームを照射して信号の読み出しを行う光ピックアップと、この光ピックアップが読み出した信号を処理する信号処理手段と、この信号処理手段が処理した信号を復号する信号復号手段と、ＨＤＭＩ（High-Definition Multimedia Interface）ケーブルが接続されて、前記信号復号手段が復号した信号を装置外部に出力するＨＤＭＩ出力端子と、前記光ピックアップ、信号処理手段、信号復号手段を制御する制御手段と、前記制御手段に各種の指令信号を入力するためにユーザによって操作される指令入力手段を備えた光ディスク再生装置において、映像出力装置と前記ＨＤＭＩケーブルを介して接続可能であり、前記制御手段は、前記モニタ装置が対応している解像度に関する情報を前記ＨＤＭＩケーブルを介して取得し、ユーザによって前記指令入力手段が操作されて、解像度を変更する旨の指令が入力されたとき、前記映像出力装置が対応している解像度のうち、最も低い解像度に映像信号を変換して該映像出力装置に出力し、さらに、ユーザによって前記指令入力手段が操作されて、解像度を変更する旨の指令が入力されたとき、前記映像出力装置が対応している解像度のうち、１段階高い解像度に映像信号を変換して該映像出力装置に出力し、前記映像出力装置が、対応している解像度のうち最も高い解像度で映像を表示している場合において、ユーザによって前記指令入力手段が操作されて、解像度を変更する旨の指令が入力されたとき、映像信号の出力を停止し、前記映像出力装置が対応している解像度の中から、映像の解像度を選択し得るように構成されているものである。
【０００６】
請求項２の発明は、ＨＤＭＩ（High-Definition Multimedia Interface）ケーブルが接続されて、前記信号復号手段が復号した信号を装置外部に出力するＨＤＭＩ出力端子と、各種の指令を入力するためにユーザによって操作される指令入力手段を備えた映像信号出力装置において、映像出力装置と前記ＨＤＭＩケーブルを介して接続可能であり、前記映像出力装置が対応している解像度に関する情報を前記ＨＤＭＩケーブルを介して取得し、ユーザによって前記指令入力手段が操作されて、解像度を変更する旨の指令が入力されたとき、前記映像出力装置が対応している解像度の中から、映像の解像度を適宜選択し得るように構成されているものである。
【０００７】
請求項３の発明は、請求項１に記載の光ディスク再生装置又は請求項２に記載の映像信号出力装置を備えて成るＡＶシステムである。
【発明の効果】
【０００８】
請求項１の発明によれば、ユーザは、指令入力手段を操作するだけで、映像出力装置の解像度を、対応している解像度の中から、自己の好みに応じて容易に選択して設定することができるので、光ディスク再生装置の使い勝手が向上する。すなわち、ユーザが解像度を変更する旨の指令を入力する回数に応じて、映像出力装置の解像度が変更される。例えば、指令を入力する回数が１回であれば最低解像度に、２回であればそれより１段階上の解像度に変更される。そして、映像出力装置が最高の解像度で表示しているときに、さらに解像度を変更する旨の指令が入力されたときには、映像信号の出力を停止する。このように、指令を入力する回数に応じて映像出力装置の解像度が変更されるので、ユーザは容易に自己の好みの解像度に変更することができる。また、変更される解像度は、映像出力装置が対応している解像度に限られるので、ユーザは余計な操作を強要されることもない。
【０００９】
請求項２の発明によれば、ユーザは、指令入力手段を操作するだけで、映像出力装置の解像度を、対応している解像度の中から、自己の好みに応じて容易に選択して設定することができるので、映像信号出力装置の使い勝手が向上する。また、変更される解像度は、映像出力装置が対応している解像度に限られるので、ユーザは余計な操作を強要されることもない。
【００１０】
請求項３の発明によれば、請求項１に記載の光ディスク再生装置又は請求項２に記載の映像信号出力装置を備えたＡＶシステムを構築することができる。
【発明を実施するための最良の形態】
【００１１】
本発明を実施するための最良の実施形態による光ディスク再生装置を備えたＡＶシステムについて図面を参照して説明する。図１は光ディスク再生装置及び光ディスク再生装置が再生した映像及び音声を出力するモニタ装置（映像出力装置）を備えてなるＡＶシステムを示している。光ディスク再生装置１は、光ディスクにレーザビームを照射して信号の読み出しを行う光ピックアップ１１と、この光ピックアップ１１が読み出した信号を処理する信号処理部（信号処理手段）１２と、信号処理部１２が処理した信号を復号するデコーダ（信号復号手段）１３と、ＨＤＭＩケーブル５が接続されて、デコーダ１３が復号した信号を装置外部に出力するＨＤＭＩ出力端子１４と、光ピックアップ１１、信号処理部１２、デコーダ１３を制御する制御部（制御手段）１５と、リモコン装置（指令入力手段）４から送信された指令を受信する受信部１６等によって構成されている。
【００１２】
光ディスク再生装置１とモニタ装置２とは、ＨＤＭＩ（High-Definition Multimedia Interface）ケーブル５によって接続され、デジタルの映像及び音声信号が送信される。また、光ディスク再生装置１の電源が投入されたとき、モニタ装置２の仕様等の情報（例えば、モニタ装置２が対応している解像度に関する情報）が、ＨＤＭＩケーブル５を介して光ディスク再生装置１に送出される。
【００１３】
本実施形態の光ディスク再生装置１は、モニタ装置２が対応している解像度の中から、いずれかの解像度を選択する機能を有している。この機能は、ユーザがリモコン装置４に設けられている特定のキー（例えば、ＨＤＭＩキーとする）を操作することによって実行される。
【００１４】
図２は、ユーザによってリモコン装置４のＨＤＭＩキーが複数回押下されたとき、順次変更されるモニタ装置２の解像度を示している。ここでは、モニタ装置２は、４８０プログレッシブ、７２０プログレッシブ及び１０８０インターレースの解像度に対応しているものとする。
【００１５】
まず、リモコン装置４のＨＤＭＩキーが１回押下されると、モニタ装置２の解像度は、４８０プログレッシブとなる。さらに、ＨＤＭＩキーが押下されると、モニタ装置２の解像度は、７２０プログレッシブに変更される。その後、ＨＤＭＩキーが押下されると、モニタ装置２の解像度は、１０８０インターレースに変更され、さらに、ＨＤＭＩキーが押下されると、ＨＤＭＩ出力端子１４からの映像信号の出力が停止される。この状態からさらにＨＤＭＩキーが押下されると、モニタ装置２から４８０プログレッシブの映像が出力される。
【００１６】
図３は、モニタ装置２の解像度を変更するときの制御部１５の処理を示している。制御部１５は、光ディスク再生装置１の電源が投入されたとき、モニタ装置２の解像度に関する情報を取得しており、この情報に基いて以下の処理を実行する。また、制御部１５は、解像度変数ｎに応じてモニタ装置２の解像度を切り替えるものとする。ここで、ｎ＝０はＨＤＭＩ出力端子１４からの映像信号の出力オフ、ｎ＝１は４８０プログレッシブ、ｎ＝２は７２０プログレッシブ、ｎ＝３は１０８０インターレースを示すものとする。
【００１７】
まず、制御部１５は、ｎを初期化（ｎ＝０）する（＃１）。そして、リモコン装置４のＨＤＭＩキーが押下されると（＃２においてＹＥＳ）、ｎを１インクリメント（ｎ＝ｎ＋１）する（＃３）。そして、ｎ＝４であれば（＃４においてＹＥＳ）、ｎを初期化（ｎ＝０）して（＃５）、＃６に移行する。一方、ｎ＝４でなければ（＃４においてＮＯ）、＃５をスキップして、＃６に移行する。＃６においては、モニタ装置２がｎ番目の解像度に対応しているか否かが判定される。モニタ装置２がｎ番目の解像度に対応していれば（＃６においてＹＥＳ）、映像信号をその解像度に変換してＨＤＭＩ出力端子１４から出力して（＃７）、＃２に戻る。また、モニタ装置２がｎ番目の解像度に対応していなければ（＃６においてＮＯ）、＃３に戻る。
【００１８】
以上のように、本実施形態の光ディスク再生装置１によれば、ユーザは、リモコン装置４のＨＤＭＩキーを操作するだけで、モニタ装置２の解像度を、対応している解像度の中から、自己の好みに応じて容易に選択して設定することができるので、光ディスク再生装置１の使い勝手が向上する。すなわち、ユーザがＨＤＭＩキーを押下する回数に応じて、モニタ装置の解像度が変更される。例えば、指令を入力する回数が１回であれば、最低解像度の４８０プログレッシブに、２回であればそれより１段階上の解像度の７２０プログレッシブに変更される。そして、映像出力装置が最高の解像度の１０８０インターレースで表示しているときに、さらにＨＤＭＩキーが押下されたときには、映像信号の出力を停止する。また、さらにＨＤＭＩキーが押下されたときには、最低解像度の４８０プログレッシブで映像が出力される。このように、指令を入力する回数に応じて、モニタ装置２の解像度が変更されるので、ユーザは容易に自己の好みの解像度に変更することができる。また、変更される解像度は、映像出力装置が対応している解像度に限られるので、ユーザは余計な操作を強要されることもない。
【００１９】
なお、本発明は上記実施形態の構成に限られることなく、少なくとも、ＨＤＭＩケーブルを介して接続される機器が対応している解像度を再生前に知得して、解像度を変更する旨の指令が入力されたとき、モニタ装置２が対応している解像度の中から、映像の解像度を適宜選択し得るように構成されていればよい。また、本発明は光ディスク再生装置に限られることなく、映像信号を出力する装置（例えば、テレビジョン放送受信装置等）に幅広く適用が可能である。
【図面の簡単な説明】
【００２０】
【図１】本発明の一実施形態による光ディスク再生装置を備えて成るＡＶシステムの構成を示すブロック図。
【図２】リモコン装置の操作に応じて、順次変更されるモニタ装置の解像度を示す図。
【図３】制御部の処理を示すフローチャート。
【符号の説明】
【００２１】
１    光ディスク再生装置
３    モニタ装置（映像出力装置）
４    リモコン装置（指令入力手段）
５    ＨＤＭＩケーブル
１１    光ピックアップ
１２    信号処理部（信号処理手段）
１３    デコーダ（信号復号手段）
１４    ＨＤＭＩ出力端子
１５    制御部（制御手段）
【図１】
2007150469.tif 000003
【図２】
2007150469.tif 000004
【図３】
2007150469.tif 000005